(57)【要約】【課題】電源オフ後も冷却ファンを継続動作させて発熱部品の余熱による温度ヒューズの切れや、熱に弱い部品の破壊を防止することができる冷却ファン駆動装置を提供する。【解決手段】主電源装置２の他に蓄電器１１を設け、主電源装置２の出力電圧が所定値以下になると、冷却ファン３への駆動電源供給路を主電源装置２側から蓄電器１１側に切り替えて蓄電器１１からの電源で冷却ファン３を継続動作させる。これにより、電源オフ後の装置内部温度上昇を緩和でき、温度ヒューズの切れや熱に弱い部品の破壊を防止できる。【選択図】図１
2006032376.tif 000002
【特許請求の範囲】
【請求項１】
冷却ファンに電源の供給を行う電源供給手段を備えた冷却ファン駆動装置において、
前記冷却ファンを駆動可能な電圧を出力する蓄電手段と、
前記電源供給手段による前記冷却ファンへの電源供給が停止したときに前記冷却ファンへの駆動電源供給路を前記電源供給手段側から前記蓄電手段側に切り替える切替手段と、
を備えた冷却ファン駆動装置。
【請求項２】
前記蓄電手段は、充電可能な二次電池又はキャパシタであり、
前記電源供給手段による電源供給が行われている間、前記蓄電手段を充電する充電手段を備えた請求項１に記載の冷却ファン駆動装置。
【請求項３】
筐体と、
前記筐体内に収容される表示部と、
を備えた表示装置において、
請求項１又は請求項２に記載の冷却ファン駆動装置を備え、前記表示部の発熱による前記筐体内温度の上昇を冷却ファンの駆動により冷却する表示装置。
【発明の詳細な説明】
【技術分野】
【０００１】
本発明は、店舗の宣伝用として屋外に設置される表示装置に内蔵される冷却ファンを駆動する冷却ファン駆動装置に関する。
【背景技術】
【０００２】
従来、ＬＥＤ(発光ダイオード)を用いた表示部から発せられた熱を冷却させるためのファンを備えた表示装置が提案されている（例えば、特許文献１参照）。
【０００３】
図２は、表示装置１の筐体内に設けられた従来の冷却ファン駆動装置の構成を示すブロック図である。図２において、商用電源を降圧する主電源装置２と冷却ファン３との間には冷却ファン３をオン／オフするスイッチ４が設けられており、本体制御部５によってオン／オフが制御される。本体制御部５は、内蔵する温度センサ（図示略）で表示装置１内の温度を検出し、該温度が所定温度になるとスイッチ４をオンして冷却ファン３を動作させる。
【０００４】
冷却ファン３の動作により表示装置１内の温度が所定温度以下になると、本体制御部５はスイッチ４をオフして冷却ファン３を停止させる。この動作を主電源装置２から電源が供給されている間、繰り返す。主電源装置２には、電源ケーブルを通して電源プラグ６が接続されており、この電源プラグ６をコンセント（図示略）に接続することで、主電源装置２に商用電源が供給される。
【０００５】
ところで、店舗用の表示装置は屋外で使用される機会が多いことから電源スイッチが設けられない傾向にあり、表示装置を使用するときは電源プラグ６をコンセントに接続し、使用しないときは電源プラグ６をコンセントから外すことで、電源をオン／オフするようにしている。
【０００６】
【特許文献１】特開２０００―４７５８９号公報
【発明の開示】
【発明が解決しようとする課題】
【０００７】
しかしながら、従来の冷却ファン駆動装置においては、電源プラグ６をコンセントから外すと冷却ファン３が直ぐに停止してしまうため、ＬＥＤ表示部等の発熱し易い部品の余熱による装置内温度上昇によって温度ヒューズが切れたり比較的熱に弱い部品が破壊する虞があるという問題があった。
【０００８】
本発明は、係る事情に鑑みてなされたものであり、電源オフ後も冷却ファンを継続動作させて発熱部品の余熱による温度ヒューズの切れや熱に弱い部品の破壊を防止することができる冷却ファン駆動装置を提供することを目的とする。
【課題を解決するための手段】
【０００９】
上記目的は下記構成により達成される。
（１）  冷却ファンに電源の供給を行う電源供給手段を備えた冷却ファン駆動装置において、前記冷却ファンを駆動可能な電圧を出力する蓄電手段と、前記電源供給手段による前記冷却ファンへの電源供給が停止したときに前記冷却ファンへの駆動電源供給路を前記電源供給手段側から前記蓄電手段側に切り替える切替手段と、を備える。
【００１０】
（２）  上記（１）に記載の冷却ファン駆動装置において、前記蓄電手段は、充電可能な二次電池又はキャパシタであり、前記電源供給手段による電源供給が行われている間、前記蓄電手段を充電する充電手段を備える。
【００１１】
（３）  筐体と、前記筐体内に収容される表示部と、を備えた表示装置において、上記（１）又は（２）に記載の冷却ファン駆動装置を備え、前記表示部の発熱による前記筐体内温度の上昇を冷却ファンの駆動により冷却する。
【発明の効果】
【００１２】
上記（１）に記載の冷却ファン駆動装置では、電源供給手段の他に蓄電手段を有し、電源オフによる電源供給手段から冷却ファンへの電源供給が停止したときに、冷却ファンへの駆動電源供給路を電源供給手段側から蓄電手段側に切り替えて、蓄電手段にて冷却ファンを継続動作させるので、電源オフ後の装置内部温度上昇を緩和でき、温度ヒューズの切れや熱に弱い部品の破壊を防止することができる。
【００１３】
上記（２）に記載の冷却ファン駆動装置では、蓄電手段として充電可能な二次電池又はキャパシタを有しているので、電源オフ毎に蓄電手段による冷却ファンの動作が可能となる。
【００１４】
上記（３）に記載の表示装置では、電源オフしても装置内温度上昇が緩和されるので、装置内温度上昇による温度ヒューズの切れや熱に弱い部品の破壊が生じない信頼性の高い表示装置を提供できる。
【発明を実施するための最良の形態】
【００１５】
以下、本発明を実施するための好適な実施の形態について、図面を参照して詳細に説明する。
【００１６】
図１は、本発明の一実施の形態に係る冷却ファン駆動装置の構成を示すブロック図である。なお、図１において前述した図２の冷却ファン駆動装置と共通する部分には同一の符号を付けている。
【００１７】
図１において、本実施の形態の冷却ファン駆動装置は、店舗の宣伝用として屋外に設置される表示装置１０の筐体内に設けられたものであり、主電源装置２と、冷却ファン３と、本体制御部５と、電源プラグ６と、蓄電器１１と、充電回路部１２と、電圧検出部１３と、電源切替部１４と、を備えている。なお、主電源装置２は電源供給手段に対応し、蓄電器１１は蓄電手段に対応する。また、電圧検出部１３と電源切替部１４は切替手段を構成する。
【００１８】
蓄電器１１は、一次電池の他に充電可能な二次電池又はキャパシタ（例えば大容量コンデンサ）などである。充電回路部１２は、蓄電器１１に充電可能な電池又はキャパシタが用いられた場合にそれに対する充電を行う。この充電は主電源装置２から電源が供給されている間継続して行われる。電圧検出部１３は、主電源装置２の出力電圧を検出し、該電圧が所定値以下まで低下すると電源切替部１４に切替信号を送出する。
【００１９】
電源切替部１４は、内部にスイッチ（図示略）を有しており、本体制御部５からのオン／オフ信号によって該スイッチをオン／オフさせる。この場合、本体制御部５は、上述したように、内蔵する温度センサ（図示略）で装置内の温度を検出し、該温度が所定温度になると電源切替部１４内のスイッチをオンさせ、装置内温度が所定温度以下になると該スイッチをオフさせる。この動作を主電源装置２から電源が供給されている間、繰り返し行う。
【００２０】
また、電源切替部１４は、電圧検出部１３から切替信号が送られてくると、冷却ファン３への駆動電源供給路を主電源装置２側から蓄電器１１側に切り替える。電圧検出部１３と電源切替部１４により、主電源装置２への電源（商用電源）の供給が停止しても（即ち電源オフされても）、冷却ファン３には蓄電器１１からの電源が供給され、これにより冷却ファン３は継続して動作することになる。この動作は蓄電器１１の端子電圧が冷却ファン３の動作電圧以下になるまで継続する。
【００２１】
このように、主電源装置２の出力断後も蓄電器１１からの電源によって冷却ファン３が動作するので、電源オフ後の装置内部温度上昇を緩和できる。電源切替部１４による蓄電器１１側から主電源装置２側への復帰は、電源投入時即ち電源プラグ６がコンセントに接続されたときに、本体制御部５から切替信号が出力されることで行われる。
【００２２】
次に、上記構成の冷却ファン駆動装置の動作を説明する。蓄電器１１が二次電池であって、その電圧値が冷却ファン３の動作電圧以下に低下している状態で電源が投入されると、主電源装置２から電源の供給が開始される。これにより、充電回路部１２は蓄電器１１の充電を開始する。また本体制御部５は内蔵する温度センサの出力値に基づく電源切替部１４内のスイッチのオン／オフ制御を開始する。
【００２３】
電源が投入されることで、表示装置１０内の図示せぬＬＥＤ表示部が動作を開始すると、ＬＥＤ表示部が発熱して装置内温度が所定温度以上になると、本体制御部５は電源切替部１４にオン信号を送出して冷却ファン３を動作させる。冷却ファン３が動作することで、装置内温度が所定温度以下になると、本体制御部５は電源切替部１４にオフ信号を送出して冷却ファン３を停止させる。電圧検出部１３は、主電源装置２からの電源供給開始とともに主電源装置２の出力電圧の検出を開始する。
【００２４】
このようにして、電源が投入されている間は、蓄電器１１への充電が継続して行われるとともに、本体制御部５による冷却ファン３のオン／オフ制御が行われる。
【００２５】
その後、電源プラグ６がコンセントから抜かれると、主電源装置２の出力電圧が一気に低下し、その低下が電圧検出部１３にて検出されて、電源切替部１４に切替信号が送出される。これにより、冷却ファン３への駆動電源供給路が主電源装置２側から蓄電器１１側に切り替えられて蓄電器１１からの電源が冷却ファン３に供給される。冷却ファン３は、蓄電器１１の端子電圧が冷却ファン３の動作電圧以下になるまで継続して動作する。これにより、電源オフ後の装置内部温度上昇が緩和されて、温度ヒューズの切れや熱に弱い部品の破壊が防止される。
【００２６】
このように、本実施の形態の冷却ファン駆動装置によれば、主電源装置２の出力電圧を検出し、該電圧が所定値以下になると、冷却ファン３への駆動電源供給路を主電源装置２側から蓄電器１１側に切り替えて、蓄電器１１からの電源で冷却ファン３を継続動作させるので、電源オフ後の装置内部温度上昇を緩和でき、温度ヒューズの切れや熱に弱い部品の破壊を防止できる。
【００２７】
また、蓄電器１１に充電可能な電池又はキャパシタが用いられた場合に、それに対する充電を行うので、電源オフ毎に蓄電器１１による冷却ファン３の動作が可能となる。
【産業上の利用可能性】
【００２８】
本発明は、電源オフ後の装置内部温度上昇を緩和でき、温度ヒューズの切れや熱に弱い部品の破壊を防止できるといった効果を有し、店舗の宣伝用として屋外に設置される表示装置等への適用が可能である。
【図面の簡単な説明】
【００２９】
【図１】本発明の一実施の形態に係る冷却ファン駆動装置の構成を示すブロック図
【図２】従来の冷却ファン駆動装置の構成を示すブロック図
【符号の説明】
【００３０】
２  主電源装置
３  冷却ファン
５  本体制御部
６  電源プラグ
１０  表示装置
１１  蓄電器
１２  充電回路部
１３  電圧検出部
１４  電源切替部
【図１】
2006032376.tif 000003
【図２】
2006032376.tif 000004